(57)【特許請求の範囲】
【請求項１】
（ａ）  内部空洞（１１）を有する円筒形ロール本体（１２）を、ベアリング（１４）を介して支軸（１３）に回転可能かつ支軸（１３）の軸芯（Ｘ−Ｘ）方向に摺動可能に軸承して成る揺動印刷ロール（１５）において、
（ｂ）  前記支軸（１３）の軸芯（Ｘ−Ｘ）を中心に回転する立体カム（１６）とカムフォロア（１７）との何れか一方が、前記ロール本体（１２）の内部空洞（１１）内で支軸（１３）に軸芯（Ｘ−Ｘ）を中心に回転可能に軸承され、その他方が前記ロール本体（１２）の内周面に取り付けられており、
（ｃ）  前記立体カム（１６）とカムフォロア（１７）のうち支軸（１３）に軸承された方を支軸（１３）の軸芯（Ｘ−Ｘ）を中心に回転駆動させるモータ（１８）が、前記ロール本体（１２）の内部空洞（１１）内で支軸（１３）に設けられており、
（ｄ）  前記モータ（１８）のロータ（２４）は、前記立体カム（１６）とカムフォロア（１７）のうち支軸（１３）に軸承された方に一方の開口側のみが取り付けられて一体回転する第一の円筒（２５）に支持されていて、
（ｅ）  前記モータ（１８）のステータ（２３）は、前記立体カム（１６）とカムフォロア（１７）との側のみが開口し、他方側において前記支軸（１３）に固定された有底状の第二の円筒（２８）内周面に設けられていて、
（ｆ）  前記第一の円筒（２５）と共にロータ（２４）が、前記有底状の第二の円筒（２８）内周面のステータ（２３）より支軸（１３）側に配置されている揺動印刷ロール。
【請求項２】
支軸（１３）に軸承されているロール本体（１２）の回転を検知するセンサー（１９）をロール本体（１２）内に具備する前掲請求項１に記載の揺動印刷ロール。
【請求項３】
支軸（１３）には、軸芯（Ｘ−Ｘ）に沿う連通孔（２１）が穿設されていると共に、その連通孔（２１）から円筒（２５）に向けて吹出孔（２２）が開けられている前掲請求項１と２の何れかに記載の揺動印刷ロール。
【請求項４】
立体カム（１６）が支軸（１３）に回転可能に軸承されており、その立体カム（１６）と協働するカムフォロア（１７）がロール本体（１２）の内部空洞（１１）の内周面に取り付けられている前掲請求項１と２と３の何れかに記載の揺動印刷ロール。
【発明の詳細な説明】
【技術分野】
【０００１】
本発明は、印刷機のインキ供給源から版面にインキを転送する転送ロールや加湿水分供給源から版面に加湿水分を転送する転送ロール等の周面にコロガリ接触して回転しつつ、ロールの軸芯方向に揺動して転送ロール表面のインキ塗膜や加湿水分塗膜を均一にし、インキ塗膜や加湿水分塗膜の膜厚のバラツキに起因するゴーストその他の印刷不良を回避するために使用される揺動印刷ロールに関するものである。
【背景技術】
【０００２】
揺動印刷ロールは、ベアリングを介して円筒形ロール本体を支軸に回転可能かつ軸芯方向に摺動可能に軸承して構成されている。その揺動印刷ロールを軸芯方向に揺動するため、その揺動印刷ロールがコロガリ接触する転送ロールを軸芯方向に揺動すること（例えば、特許文献１参照）、揺動印刷ロールの空洞内部にソレノイドや電磁石を配置すること（例えば、特許文献２参照）、揺動印刷ロールの空洞内部にエアーシリンダーやオイルシリンダーを配置すること（例えば、特許文献３・４参照）は公知である。
【０００３】
揺動印刷ロールの軸芯を中心に回転する立体カムを支軸に軸承させ、カムフォロアをロール本体の内部空洞の内周面に取り付けると共に、支軸とロール本体の間に歯車列を配置してロール本体の回転を立体カムに伝え、その立体カムを回転してカムフォロアと共にロール本体の軸芯方向へ駆動し、揺動印刷ロールの揺動速度を変えることも公知である（例えば、特許文献５・６参照）。
【０００４】
【特許文献１】特開平０８−０９０９４８号公報（特許第２７２０３１５号）
【特許文献２】特開昭６２−０３２０５１号公報（特公平０４−０００８３２）
【特許文献３】特開平０１−２５８９５２号公報（特許第２５１９５０４号）
【特許文献４】特開平０３−２３０９５１号公報（特公平０７−１０２６９６）
【特許文献５】特開平０４−０９４９４１号公報（特許第２９４６２３４号）
【特許文献６】特開２０００−３７８５６号公報（特許第３０１３３０３号）
【発明の開示】
【発明が解決しようとする課題】
【０００５】
転送ロールを軸芯方向に揺動する方法（特許文献１）では、揺動印刷ロールの移動距離が転送ロールとの摩擦力に依存するので、特に、滑り易いインキやニス等を印刷する場合には、その移動距離を制禦することは困難である。ソレノイドや電磁石、エアーシリンダー、オイルシリンダー等によって揺動する方法（特許文献２・３・４）では、揺動印刷ロールの移動距離を大きくすることは出来ても、その揺動速度を揺動印刷ロールの回転速度に同調させることは困難である。歯車列によって揺動印刷ロールの揺動速度を変える方法（特許文献５・６）では、揺動印刷ロールの揺動速度と回転速度を同調させることは出来ても、それらの速度比を変えるには歯車列を変えなければならず、その軸芯方向への揺動速度を自由に変えることは出来ない。
【０００６】
そこで本発明は、軸芯方向への揺動速度を自由に変えることが出来る可変速式の揺動印刷ロールを得ることを目的とする。
【課題を解決するための手段】
【０００７】
本発明に係る揺動印刷ロールは、（ａ）  内部空洞１１を有する円筒形ロール本体１２を、ベアリング１４を介して支軸１３に回転可能かつ支軸１３の軸芯Ｘ−Ｘ方向に摺動可能に軸承して成る揺動印刷ロール１５において、（ｂ）  前記支軸１３の軸芯Ｘ−Ｘを中心に回転する立体カム１６とカムフォロア１７との何れか一方が、前記ロール本体１２の内部空洞１１内で支軸１３に軸芯Ｘ−Ｘを中心に回転可能に軸承され、その他方が前記ロール本体１２の内周面に取り付けられており、（ｃ）  前記立体カム１６とカムフォロア１７のうち支軸１３に軸承された方を支軸１３の軸芯Ｘ−Ｘを中心に回転駆動させるモータ１８が、前記ロール本体１２の内部空洞１１内で支軸１３に設けられており、（ｄ） 前記モータ１８のロータ２４は、前記立体カム１６とカムフォロア１７のうち支軸１３に軸承された方に一方の開口側のみが取り付けられて一体回転する第一の円筒２５に支持されていて、（ｅ）  前記モータ１８のステータ２３は、前記立体カム１６とカムフォロア１７との側のみが開口し、他方側において前記支軸１３に固定された有底状の第二の円筒２８内周面に設けられていて、（ｆ）  前記第一の円筒２５と共にロータ２４が、前記有底状の第二の円筒２８内周面のステータ２３より支軸１３側に配置されていることを第１の特徴とする。
【０００８】
本発明に係る揺動印刷ロールの第２の特徴は、上記第１の特徴に加えて、支軸１３に軸承されているロール本体１２の回転を検知するセンサー１９をロール本体１２内に具備する点にある。
【０００９】
本発明に係る揺動印刷ロールの第３の特徴は、上記第１と第２の何れかの特徴に加えて、支軸１３には、軸芯Ｘ−Ｘに沿う連通孔２１が穿設されていると共に、その連通孔２１から円筒２５に向けて吹出孔２２が開けられている点にある。
【００１０】
本発明に係る揺動印刷ロールの第４の特徴は、上記第１と第２と第３の何れかの特徴に加えて、立体カム１６が支軸１３に回転可能に軸承されており、その立体カム１６と協働するカムフォロア１７がロール本体１２の内部空洞１１の内周面に取り付けられている点にある。
【発明の効果】
【００１１】
本発明において、モータ１８を停止させる場合には、揺動印刷ロール１５が１回転すると、立体カム１６のカム変位曲線における振幅距離分（Ｈ）だけ、揺動印刷ロール１５が軸芯方向Ｘ−Ｘに１往復することになる。
そのモータ１８を駆動する場合には、支軸１３に回転可能に軸承されている立体カム１６またはカムフォロア１７がモータ１８に駆動されて回転すると、モータ１８の回転速度と揺動印刷ロール１５の回転速度との位相差に応じて、揺動印刷ロール１５の軸芯方向Ｘ−Ｘへの揺動速度が、モータ１８が停止している場合に比して相対的に変化する。
そのモータ１８の回転速度を揺動印刷ロール１５の回転速度に同調させる場合、即ち、モータ１８の回転速度と揺動印刷ロール１５の回転速度との位相差をゼロにする場合には、揺動印刷ロール１５の軸芯方向Ｘ−Ｘへの移動（揺動）が停止することになる。
【００１２】
本発明によると、このように立体カム１６とカムフォロア１７を介して揺動印刷ロール１５がモータ１８に軸芯方向Ｘ−Ｘに駆動されるので、印刷に使用するインキやニス等の印刷液体の塗膜の粘度や摩擦・滑性に起因して発生が懸念されるゴーストや濃度斑を回避するために揺動印刷ロール１５の軸芯方向Ｘ−Ｘへの揺動速度を自由に変え、印刷不良を回避することが出来る。
【００１３】
本発明では、ロール本体１２の回転を検知するセンサー１９を設けたので、転送ロール等にコロガリ接触して回転する揺動印刷ロール１５の回転速度がインキやニス等の印刷液体の粘度や摩擦・滑性に応じて変化しても、その変化に即応して揺動印刷ロール１５の揺動速度を追従させることが出来る。
【００１４】
本発明では、モータ１８を冷却する冷却手段を設けたので、モータ１８が畜熱して印刷精度が左右されることはない。
【００１５】
立体カム１６を支軸１３に軸承させる場合には、カム溝２０をカム母体の外周面に刻設することになるので、立体カム１６が作成し易く、又、支軸１３に装着し易いので、揺動印刷ロール１５を効率的且つ経済的に得ることが出来る。
【発明を実施するための最良の形態】
【００１６】
本発明の揺動印刷ロール１５の適用される印刷機は、紙用印刷機、プラスチックフイルム用印刷機、布帛用印刷機、金属板用印刷機の何れでもよく、ニスや接着剤等のインキ以外の塗料を転送する転送ロールを備えた塗布装置であってもよい。本発明の揺動印刷ロール１５は、ゴースト発生の虞れのないベタ塗り（無地）印刷においても有効であり、そのベタ塗り（無地）印刷においては、色彩濃度やインキの塗膜の厚み斑等による印刷不良が懸念されるが、同様に、ニスや接着剤等の塗料を転送する転送ロールを備えた塗布装置においても、ニスや接着剤等の塗膜の厚み斑等による塗着不良が懸念されるからである。
【００１７】
揺動印刷ロールの回転を検知するセンサー１９には、エンコーダーその他の回転検知機器を使用することが出来る。支軸１３には、軸芯Ｘ−Ｘに沿って連通孔２１を穿設し、モータ１８に向けて吹出孔２２を開け、連通孔２１から吹出孔２２を通ってモータ１８へと冷却エアーを吹き出して冷却手段を構成するとよい。その場合、連通孔２１は、モータやセンサーへの配線に利用することが出来る。モータ１８には、サーボモータ、インバーターモータ、ステッピングモータ（パルスモータ）等が好適に使用される。
【００１８】
支軸１３には金属パイプを適用することが出来る。モータ１８の冷却手段は、冷却水等の液体による循環式であってもよく、金属パイプを支軸１３に用いる場合は、その液体循環パイプを支軸（パイプ）内に配管することが出来る。
【００１９】
図１には立体カム１６として円柱溝カム（円筒カム）を例示している。しかし、立体カム１６は、図１に図示する円柱溝カムのカム溝２０とは逆に凸状カム畝を突出した構造にすることも出来る。そのように凸状カム畝によってカム曲面が構成される立体カムに対応するカムフォロア（１７）は、その凸状カム畝を左右から挟むように２個１対とする。
本発明において「立体カムとカムフォロアとの何れか一方が支軸に軸承」とは、図１に図示する立体カム１６とカムフォロア１７とは逆に、ロール本体１２の内部空洞１１の内周面に立体カムを形成し、その立体カムと協働するカムフォロアを支軸に軸承した反対カムとすることも出来ることを意味する。
【００２０】
図１において、モータ１８は、支軸１３に固定された円筒２８の内周面に設けたステータ２３と、立体カム１６と一体回転するロータ２４とから成り、ロータ２４を支持する円筒２５は立体カム１６に螺子止めされている。２６は、立体カム１６を回転可能に軸承するためのベアリングである。ロール本体１２の外周面には、ゴム組成物その他のエラストマーによる表面層２７が積層される。
【図面の簡単な説明】
【００２１】
【図１】本発明に係る揺動印刷ロールの要部断面図である。
【符号の説明】
【００２２】
１１：空洞
１２：ロール本体
１３：支軸
１４：ベアリング
１５：揺動印刷ロール
１６：立体カム
１７：カムフォロア
１８：モータ
１９：センサー
２０：カム溝
２１：連通孔
２２：吹出孔
２３：ステータ
２４：ロータ
２５：円筒
２６：ベアリング
２７：表面層
２８：円筒
【図１】
0005158478.tif 000002